(57)【要約】【課題】開口部の下縁にレール等がなく、耕運機等が自由に乗り入れることができると共に、円滑に開閉できるようにした農園芸ハウスの開口部開閉装置を提供する。【解決手段】農園芸ハウスの端壁または側壁に設けた開口部上縁付近から下方に延びるフィルムシート２１と、フィルムシートの下縁付近に取り付けた水平方向に延びるアンカー部材２２と、フィルムシートの下縁から所定間隔毎に取り付けた水平方向に延びる複数の水平部材２３と、上記開口部の両側縁付近に沿って設けられ、アンカー部材２２及び各水平部材２３の両端を受容する一対のガイド枠２４と、それぞれ一端をアンカー部材の両端に固定し、フィルムシートの両側縁に沿って各水平部材の両端を貫通して上方に引き回されている一対の引紐２５と、を備えるように農園芸ハウスの開口部開閉装置を構成する。【選択図】        図１
2004321117.tif 000002
【特許請求の範囲】
【請求項１】
農園芸ハウスの端壁または側壁に設けられた開口部を閉鎖するように、開口部上縁付近から下方へ延びるフィルムシートと、
上記フィルムシートの下縁付近に取り付けられた水平方向に延びるアンカー部材と、
上記フィルムシートの下縁から所定間隔毎に取り付けられた水平方向に延びる少なくとも一つの水平部材と、
上記開口部の両側縁付近に沿って設けられ、上記アンカー部材及び水平部材の両端を受容する一対のガイド枠と、
それぞれ一端が上記アンカー部材の両端に固定され、上記フィルムシートの両側縁に沿って上記水平部材の両端を貫通して上方に引き回されている一対の引紐と、を備えており、
上記一対の引紐を上方に引っ張ることにより、上記アンカー部材が上記ガイド枠内をガイドされながら、上記フィルムシートが折り畳まれて上方に引き上げられることを特徴とする、農園芸ハウスの開口部開閉装置。
【請求項２】
前記一対の引紐が一本に纒められて外部に引き出されていることを特徴とする、請求項１に記載の農園芸ハウスの開口部開閉装置。
【請求項３】
前記開口部開閉装置が、農園芸ハウスの端壁または側壁に設けられた複数の開口部に対してそれぞれ設けられており、
各開口部開閉装置の引紐の他端が一本に纒められていることを特徴とする、請求項１または２に記載の農園芸ハウスの開口部開閉装置。
【請求項４】
外部に引き出された引紐の他端が巻き上げ手段に接続されていることを特徴とする、請求項２または３に記載の農園芸ハウスの開口部開閉装置。
【請求項５】
前記巻き上げ手段が手動で駆動されることを特徴とする、請求項４に記載の農園芸ハウスの開口部開閉装置。
【請求項６】
前記巻き上げ手段が駆動手段により自動的に駆動されることを特徴とする、請求項４に記載の農園芸ハウスの開口部開閉装置。
【請求項７】
前記フィルムシートが、農園芸ハウスの端壁または側壁に設けられた開口部の上縁にて、農園芸ハウスの端壁または側壁を構成するフィルムシートと一体に構成されていることを特徴とする、請求項１から６の何れかに記載の農園芸ハウスの開口部開閉装置。
【請求項８】
前記フィルムシートが、農園芸ハウスの端壁または側壁に設けられた開口部の上縁にて、農園芸ハウスの端壁または側壁を構成するフィルムシートと接続手段により接続されていることを特徴とする、請求項１から６の何れかに記載の農園芸ハウスの開口部開閉装置。
【発明の詳細な説明】
【０００１】
【発明の属する技術分野】
本発明は、農園芸ハウスの開口部開閉装置に関するものである。
【０００２】
【従来の技術】
従来、ビニールハウスに備えられた開口部を開閉可能に閉じる場合、例えばサッシ構造の引き戸式のドアを取り付けるようにしている。このような構成のサッシ構造のドアによれば、ドアを閉じると、サッシ構造であることから隙間なく確実に閉鎖されることになり、虫等がビニールハウス内に侵入するようなことはない。また、ドアを開けると、ドアの開口部分を通って作業者がビニールハウス内に出入りすることが可能になる。
【０００３】
【発明が解決しようとする課題】
しかしながら、このようなサッシ構造の引き戸式のドアにおいては、引き戸のドア枠の上縁及び下縁が、レールにより構成されている。そして、下縁のレールは、地面の表面に直接に敷設されるようになっている。このため、雨水等が流れると、ドア枠の下縁のレールの下方の地面が侵食される等によって、地面の表面とレールとの間に間隙が生じてしまうことがある。
【０００４】
また、耕運機等がビニールハウス内に乗り入れる場合には、耕運機等がレールに乗り上げることによりレールが変形したり、耕運機の作業用歯やスクレーパなどで場合によっては破損してしまうことがある。
従って、耕運機等がビニールハウス内に乗り入れる場合には、レール上に板等を配置して、耕運機等を乗り入れるようにしている。このため、板等を配置するための手間が必要であり、作業が煩雑になってしまう。
【０００５】
これに対して、ビニールハウスの開口部を、フィルムシートで閉鎖して、開放時にはこのフィルムシートを巻き上げるようにした開閉装置もある。
しかしながら、このような開閉装置において、降雨，散水等によりフィルムシートが濡れている場合、フィルムシート間が水分によって密着することになり、円滑に開閉することができないことがあった。
【０００６】
本発明は、上記の点に鑑み、開口部の下縁にレール等がなく、耕運機等が自由に乗り入れることができると共に、円滑に開閉できるようにした農園芸ハウスの開口部開閉装置を提供することを目的とする。
【０００７】
【課題を解決するための手段】
上記目的は、本発明によれば、農園芸ハウスの端壁または側壁に設けられた開口部を閉鎖するように、開口部上縁付近から下方に延びるフィルムシートと、フィルムシートの下縁付近に取り付けられた水平方向に延びるアンカー部材と、フィルムシートの下縁から所定間隔毎に取り付けられた水平方向に延びる少なくとも一つの水平部材と、上記開口部の両側縁付近に沿って設けられ、上記アンカー部材及び各水平部材の両端を受容する一対のガイド枠と、それぞれ一端が上記アンカー部材の両端に固定され、フィルムシートの両側縁に沿って各水平部材の両端を貫通して上方に引き回されている一対の引紐と、を備えており、上記一対の引紐を上方に引っ張ることにより、アンカー部材がガイド枠内をガイドされながら、フィルムシートが折り畳まれて上方に引き上げられる農園芸ハウスの開口部開閉装置により達成される。なお、農園芸ハウスとは、ビニールハウスと通称されている各種の組立式ハウスを含み、ポリエチレンのシート，ポリオレフィンのシート、或いはフッ素樹脂をコーティングされたシートで覆われたビニールハウス又はプラスチックハウスの他に、グリーンハウス，グラスハウスを包含する概念である。
【０００８】
本発明による農園芸ハウスの開口部開閉装置は、好ましくは、上記一対の引紐が一本に纒められて外部に引き出されている。また好ましくは、上記開口部開閉装置が、農園芸ハウスの端壁または側壁に設けられた複数の開口部に対してそれぞれ設けられており、各開口部開閉装置の引紐の他端が一本に纒められている。
【０００９】
本発明による農園芸ハウスの開口部開閉装置は、好ましくは、外部に引き出された引紐の他端が巻き上げ手段に接続されている。
【００１０】
本発明による農園芸ハウスの開口部開閉装置は、好ましくは、上記巻き上げ手段が駆動手段により自動的に駆動される。或いは上記巻き上げ手段が手動で駆動されるようにしてもよい。
【００１１】
本発明による農園芸ハウスの開口部開閉装置は、好ましくは、上記フィルムシートが、農園芸ハウスの端壁または側壁に設けられた開口部の上縁にて、農園芸ハウスの端壁または側壁を構成するフィルムシートと一体に構成されている。
【００１２】
本発明による農園芸ハウスの開口部開閉装置は、好ましくは、上記フィルムシートが、農園芸ハウスの端壁または側壁に設けられた開口部の上縁にて、農園芸ハウスの端壁または側壁を構成するフィルムシートと接続手段により接続されている。
【００１３】
このようにして、フィルムシートの下端のアンカー部材が上方に引き上げられることにより、フィルムシートのアンカー部材及び各水平部材の間の部分が順次に折り畳まれることにより、フィルムシートが開口部の上縁付近に折り畳まれることになり、開口部が開放されることになる。
【００１４】
上記巻き上げ手段が手動で駆動される場合には、巻き上げ手段を手動操作することによりフィルムシートを引き上げて、容易に開口部を開放することができると共に、開閉装置の設備コスト及びランニングコストを低減することができる。
【００１５】
上記巻き上げ手段が駆動手段により自動的に駆動される場合には、巻き上げ手段を駆動手段により自動操作することによりフィルムシートを引き上げて、容易に開口部を開放することができると共に、自動操作により操作性が向上し、労力が軽減される。
【００１６】
上記フィルムシートが、農園芸ハウスの端壁または側壁に設けられた開口部の上縁にて、農園芸ハウスの端壁または側壁を構成するフィルムシートと一体に構成されている場合には、農園芸ハウスの端壁または側壁に開口部を設けるときに、農園芸ハウスの端壁または側壁を構成するフィルムシートの開口部の両側縁を切断するだけで開閉装置のフィルムシートとすることができるので、フィルムシートを接続する必要がなく、コストが低減される。
【００１７】
上記フィルムシートが、農園芸ハウスの端壁または側壁に設けられた開口部の上縁にて、農園芸ハウスの端壁または側壁を構成するフィルムシートと接続手段により接続されている場合には、既存の農園芸ハウスの開口部に対して、本開閉装置を容易に組み込むことが可能であると共に、破損等によりフィルムシートを交換する際にも容易である。
【００１８】
【発明の実施の形態】
以下、図面に示した実施形態に基づいて、本発明を詳細に説明する。
図１は、本発明によるビニールハウスの開口部開閉装置の一実施形態を適用したビニールハウスの構成を示している。
図１において、ビニールハウス１０は公知の構成であって、たとえば所謂かまぼこ形状に構成されており、長手方向に間隔をあけて配置された複数個のアーチパイプ１１と、各アーチパイプ１１の外側を覆うように張られたフィルム１２とから構成されており、図示の場合、その端面即ち妻面に、出入り口としての開口部１３を備えている。そして、この開口部１３に対して、本発明による開口部開閉装置２０が備えられている。
【００１９】
上記開口部開閉装置２０は、図２に示すように、ビニールハウス１０の開口部１３を閉鎖するフィルムシート２１と、フィルムシート２１の下端に取り付けられたアンカー部材２２と、フィルムシート２１の中間高さにそれぞれ取り付けられた複数本（図示の場合、３本）の水平部材２３ａ〜２３ｃと、開口部１３の両側縁付近に設けられたガイド枠２４と、一対の引紐２５と、を含んでいる。
【００２０】
上記フィルムシート２１は、例えば塩化ビニールのような透明材料から構成されており、その大きさが、ビニールハウス１０の開口部１３より大きく選定されている。
【００２１】
そして、上記フィルムシート２１は、その上縁が、ビニールハウス１０の開口部１３の上縁より僅かに上方にて、ビニールハウス１０の端面に対して適宜の方法により固定保持される。これにより、上記フィルムシート２１は、図２に示す状態（閉鎖状態）にて、その上縁及び両側縁の余剰領域が、ビニールハウス１０の開口部１３の周辺領域に重なることにより、ビニールハウス１０の開口部１３を完全に閉鎖するようになっている。
【００２２】
上記アンカー部材２２は、比較的重い材料、例えば鉄パイプ等から構成されており、フィルムシート２１の下端にて水平方向に延びるように取り付けられている。このアンカー部材２２は、フィルムシート２１に対して、図３に示すように接続部材２６を利用して固定保持されている。その際、アンカー部材２２の両端が、図２（Ｃ）に示すように、フィルムシート２１の両側縁から僅かに突出するようになっている。
【００２３】
ここで、上記接続部材２６は断面がほぼＣ字形状に形成されており、このアンカー部材２２がフィルムシート２１を挟んで接続部材２６の窪んだ領域内に嵌入しバネ２６ａにより挟持されることにより、フィルムシート２１に対してアンカー部材２２を固定保持するようになっている。なお、接続部材２６は、バネ２６ａ  を備えずに、弾性的に撓むように形成してもよい。また、接続部２６としては、ビニペット（商品名），パッカー（商品名）などを使用できる。
【００２４】
上記水平部材２３ａ〜２３ｃは、比較的軽い材料、例えばビニールパイプ等から構成されており、好ましくは、アンカー部材２２と同じ大きさに選定されている。なお、水平部材２３ａ〜２３ｃの太さは、好ましくは、水平に形態を維持できる腰の強さがあれば、アンカー部材２２の太さよりも、細く設定する。これらの水平部材２３ａ〜２３ｃは、フィルムシート２１の所定間隔毎の中間高さ位置にて水平方向に延びるように取り付けられている。
【００２５】
ここで、各水平部材２３ａ〜２３ｃも、アンカー部材２２と同様にして、接続部材２６を利用して、フィルムシート２１の中間高さ位置に対して固定保持されるようになっている。その際、同様にして、水平部材２３ａ〜２３ｃの両端が、図２（Ｃ）に示すように、フィルムシート２１の両側縁から僅かに突出するようになっている。
【００２６】
上記ガイド枠２４は、ビニールハウス１０の開口部１３の両側縁よりやや外側に沿って、ビニールハウス１０の端壁に設けられており、互いに対向する内側が開放している。上記ガイド枠２４は、その開放した内側に、上述したアンカー部材２２及び各水平部材２３ａ〜２３ｃのフィルムシート２１の両側縁から突出した両端を受容して、前後左右方向に係止すると共に、上下方向にガイド（案内支持）する。
【００２７】
上記一対の引紐２５は、例えばナイロンケーブルにより構成されており、それぞれ一端がアンカー部材２２の両端に固定されていると共に、フィルムシート２１の両側縁に沿って、各水平部材２３ａ〜２３ｃの両端を貫通して上方に向かって引き回され、その後ローラ２５ａ，２５ｂを介して一本に纒められ、さらにローラ２５ｃを介して外部に引き出されている。また、引紐２５の外部に引き出された他端は、図示しない巻き上げ手段に接続されている。この巻き上げ手段は、手動で引いたり、あるいは図示しないモータ等の駆動手段の回転力を利用して自動的に作動されるようになっている。これにより、巻き上げ手段により引紐２５が図２（Ａ）にて矢印Ａ方向に引っ張られることにより、引紐２５が上方に引き上げられ、アンカー部材２２が上方へ移動される。
【００２８】
本発明によるビニールハウスの開口部開閉装置２０は、以上のように構成されており、フィルムシート２１の開閉は以下のようにして行なわれる。
まず、閉鎖時には、フィルムシート２１が開口部１３の上縁付近から下方に垂れ下がって、その下端がアンカー部材２２の重量により下方に引っ張られると共に、その両側縁が、アンカー部材２２及び水平部材２３ａ〜２３ｃがガイド枠２４内に抑止されることにより、完全に広げられた状態にて、開口部１３を確実に閉鎖することになる。この場合、風等によりフィルムシート２１があおられたとしても、フィルムシート２１の下端がアンカー部材２２の重量により係止され、またフィルムシート２１の両側縁がアンカー部材２２，各水平部材２３ａ〜２３ｃを介してガイド枠２４に抑止されることにより、フィルムシート２１の浮上りや踊り，外れ等が排除され得る。
【００２９】
そして、このような閉鎖状態から図示しない巻き上げ手段により、一対の引紐２５が矢印Ａ方向に引っ張られると、各引紐２５は、それぞれ上方に引き上げられることにより、各引紐２５の一端に固定されたアンカー部材２２も上方に移動する。なお、各引紐２５は、各水平部材２３ａ〜２３ｃの両端を貫通しており、水平部材２３は上昇しない。これにより、アンカー部材２２は、フィルムシート２１の下端と共に上昇する。その際、アンカー部材２２は、その両端がガイド枠２４によりガイドされることにより、円滑に上昇する。
【００３０】
そして、アンカー部材２２がそのすぐ上の水平部材２３ａに当接すると、フィルムシート２１のアンカー部材２２とこの水平部材２３ａとの間の部分が折り畳まれることになると共に、アンカー部材２２は、この水平部材２３ａと共に上昇することになる。その際、水平部材２３ａは、アンカー部材２２と同様に、その両端がガイド枠２４によりガイドされることにより、円滑に上昇する。
【００３１】
さらに、引紐２５が上方に引き上げられると、アンカー部材２２及び上記水平部材２３ａが上方へ移動し、この水平部材２３ａがそのすぐ上に位置する水平部材２３ｂに当接すると、同様にして、フィルムシート２１の各水平部材２３ａ，２３ｂの間の部分が折り畳まれることになると共に、アンカー部材２２は、これらの水平部材２３ａ，２３ｂと共に上昇することになる。
【００３２】
このようにして、フィルムシート２１の下端に取り付けられたアンカー部材２２が引紐２５により上方に引き上げられることにより、フィルムシート２１のアンカー部材２２及び各水平部材２３ａ〜２３ｃの間の部分が順次に折り畳まれることにより、図４に示すように、フィルムシート２１が、ビニールハウス１０の開口部１３の上縁付近に折り畳まれ、ビニールハウス１０の開口部１３が開放されることになる。
【００３３】
この場合、このように開放された開口部１３は、その下縁に従来のサッシ構造の開閉装置におけるようなレール等がないことから、例えば耕運機等のビニールハウス１０内への自由な乗り入れが可能になる。
【００３４】
また、このような開放状態から開口部を閉鎖するためには、図示しない巻き上げ手段を操作することにより、引紐２５の引張り力を解放する。これにより、引紐２５及びフィルムシート２１は、アンカー部材２２の自重によって、下方に向かって下降し、それに伴って各水平部材２２も下方へ下降する。
【００３５】
その際、アンカー部材２２及び各水平部材２３の両端がガイド枠２４に沿って円滑にガイドされるので、開放時に折り畳まれたフィルムシート２１は、順次に円滑に折畳み状態から展開される。これにより、フィルムシート２１の下端が開口部１３の下端に達したとき、フィルムシート２１が開口部１３を閉鎖することになる。
【００３６】
ここで、例えば降雨，散水等によりフィルムシート２１が濡れている場合であっても、折り畳まれたフィルムシート２１がアンカー部材２２の重量に基づいて円滑に展開することになる。
【００３７】
上述した実施形態においては、引紐２５は、ローラ２５ａ，２５ｂを介して、ローラ２５ｃの位置で一本に纒められているが、これに限らず、例えば図５に示すように、各引紐２５がそれぞれ別個に外部に引き出されるようにしてもよいことは明らかである。
【００３８】
また、上述した実施形態においては、ビニールハウス１０の開口部１３は、ビニールハウス１０の端面、即ち妻面に備えられているが、これに限らず、例えば図６に示すように、ビニールハウス１０の側面に設けられた開口部に対して、本発明による開閉装置２０を備えるようにしてもよいことは明らかである。
【００３９】
この場合、ビニールハウス１０の長手方向については、例えば３０乃至５０ｍ程度の長さであっても、例えばフィルムシート２１の幅方向に関して中間にも引紐２５を設けることにより、十分に対応することができる。
【００４０】
さらに、ビニールハウス１０の端面または側面に、複数個の開口部１３が設けられている場合には、各開口部毎に、本発明による開口部開閉装置２０を備えることができる。その際、各開口部開閉装置２０の引紐２５を一つに纒めるようにすれば、それらの束を一緒に引っ張ることによって、すべての開口部開閉装置２０のフィルムシート２１を引き上げて、開口部１３を容易に開放することができる。
【００４１】
さらに、上述した実施形態においては、開口部１３はビニールハウス１０内への出入り口として構成されているが、これに限らず、通風口としての開口部に対しても本発明を適用し得ることは明らかである。この場合、図７に示すように、例えば複数のビニールハウス１０が並んで配置されており、各ビニールハウス１０の間の傾斜部１０ａに対して開口部１３が設けられている場合であっても、これらの開口部に対して本発明による開口部開閉装置を備えることができる。
【００４２】
また、上述した実施形態においては、アンカー部材２２は、フィルムシート２１の下端に取り付けられているが、これに限らず、アンカー部材２２がフィルムシート２１の下端より僅かに上に取り付けられていてもよい。この場合、閉鎖状態にて、アンカー部材２２が地面に着いたとき、アンカー部材２２から下方に突出するフィルムシート２１の下縁領域がアンカー部材２２と地面との間に生ずる隙間を閉鎖することになり、開口部１３がより一層確実に閉鎖され得る。
【００４３】
さらに、上述した実施形態においては、ビニールハウス１０の開口部１３は、単に開放しているが、これに限らず、例えば開口部開閉装置２０の開放時に虫等がビニールハウス１０内に侵入しないように、例えば防虫ネットを備えていてもよい。
【００４４】
また、上記説明では、本発明を適したビニールハウス１０を例示したが、それに限らず、本発明は、ポリエチレンのシート，ポリオレフィンのシート、或いはフッ素樹脂をコーティングされたシートで覆われたプラスチックハウスの他にも、グリーンハウス，グラスハウスなどの開口部にも適用できる。
【００４５】
【発明の効果】
以上述べたように、本発明によれば、開口部の下縁にレール等がなく、耕運機等が自由に乗り入れることができると共に、円滑に開閉操作を行える等の効果を奏する。
【図面の簡単な説明】
【図１】本発明によるビニールハウスの開口部開閉装置の一実施形態を端面に備えたビニールハウスの全体構成例を示す概略斜視図である。
【図２】図１に示すビニールハウスにおける開口部開閉装置の閉鎖状態における構成を示し、（Ａ）は概略正面図，（Ｂ）は概略側面図、（Ｃ）は概略平面図である。
【図３】図２のビニールハウスの開口部開閉装置で使用されるアンカー部材とフィルムシートとの接続部材の構成例を示す拡大断面図である。
【図４】図２のビニールハウスの開口部開閉装置の開放状態を示し、（Ａ）は概略正面図、（Ｂ）は概略側面図である。
【図５】図２のビニールハウスの開口部開閉装置の変形例を示す概略正面図である。
【図６】本発明によるビニールハウスの開口部開閉装置の一実施形態を側面に備えたビニールハウスの全体構成例を示す概略斜視図である。
【図７】本発明によるビニールハウスの開口部開閉装置の一実施形態を複数の並んで配置されたビニールハウスの間の傾斜部に備えたビニールハウスの全体構成例を示す概略斜視図である。
【符号の説明】
１０            ビニールハウス
１０ａ          傾斜部
１１            アーチパイプ
１２            フィルム
１３            開口部
２０            開口部開閉装置
２１            フィルムシート
２２            アンカー部材
２３ａ〜２３ｃ  水平部材
２４            ガイド枠
２５            引紐
２５ａ〜２５ｃ  ローラ
２６            接続部材
２６ａ          バネ
【図１】
2004321117.tif 000003
【図２】
2004321117.tif 000004
【図３】
2004321117.tif 000005
【図４】
2004321117.tif 000006
【図５】
2004321117.tif 000007
【図６】
2004321117.tif 000008
【図７】
2004321117.tif 000009